(57)【要約】【課題】従来の塗膜転写具は使いはじめにスリップして転写開始が出来ないことや、短い長さの揃った転写が難しいという欠点があった。本発明は引きながら長い転写をする従来の使い方に加え、スタンプのように押し付ける操作で矩形状の短い転写を可能にした。【解決手段】塗膜を転写するための押圧部が配設されたヘッドを、本体に対しスライド可能なスライダーによって回転可能に保持し、押圧部を被転写面に強く押しこむと、スライダー、ヘッドともに本体内側にスライドし、同時に押圧部が被転写面に沿ってわずかに回転し短い矩形状の転写を可能にした。さらにスライダーの戻りで、供給リールを蹴って回転させ、転写終了時に常にテープが繰り出された状態となるようにした。【選択図】図１３
2012139988.tif 000002
【特許請求の範囲】
【請求項１】
片面に塗膜が塗布されたテープ基材と、該テープ基材が巻装され回転可能な供給リールと、該テープ基材が該供給リールに巻装されて成すテープロールの外周から繰り出された該テープ基材を被転写面に押し付けて該塗膜を転写する押圧部と、該塗膜が転写された後の使用済みテープ基材を回転して巻き取る巻き取りリール、が本体内に配設され、該供給リールと該巻き取りリールが同期して回転し、手持ちで使用される塗膜転写具であって、
該本体内方向に移動可能なスライダーと、該スライダーに回転可能に支持され一端が該本体外に突出した該押圧部を有するヘッドとからなり、通常は該押圧部が該本体より大きく突出した位置で該押圧部を該被転写面に押し当てながら動かすことで該テープ基材の該塗膜を転写し、該押圧部を該被転写面にあてて強く押し込むことで該スライダー及び該ヘッドを該本体内方向に移動させると同時に、該ヘッドの該押圧部が該被転写面に沿って回転し該テープ基材の一定の長さの該塗膜を該被転写面に押し付けて転写可能なことを特徴とする塗膜転写具。
【請求項２】
前期スライダーの一端にラチェット爪部を設け、前記供給リールあるいは前記供給リールと同軸に回転する部材には該ラチェット爪部と係合するラチェットホイールが形成され、前記スライダーが本体内に移動した位置から復帰する動きで前記供給リールを一定角度だけ強制回転させ、前記テープロールの外周から前記テープ基材を繰り出すことを特徴とする請求項１記載の塗膜転写具。
【請求項３】
前記ラチェット爪部は前記ラチェットホイールに常に当接しており、前記供給リールの回転方向を一方向において阻止していることを特徴とする請求項２記載の塗膜転写具。
【発明の詳細な説明】
【技術分野】
【０００１】  本発明は、使用者が手に持って押し付けたり引いたりする操作によって塗膜を転写するための塗膜転写具に関するものである。
【背景技術】
【０００２】  粘着剤や文字等をカバーして修正する塗膜を転写するための塗膜転写具は、一般的にひろく用いられている。これらの塗膜転写具に於いては、ローラーで構成された押圧部やスクィージーのような先端が尖ったヘラ形状をなした押圧部で塗膜が塗られたテープ基材を塗膜と反対側から被転写面に押圧転写する方法が多く用いられている。【０００３】  ローラーの場合、テープ基材面に接触して転がるために転写性は良好で操作も軽いが、反面、塗膜先端位置がローラー外径の円周上でばらつくため、転写を始めるべき位置からずれて転写開始される不具合が多々発生し、正確な位置決めや短い転写が容易に出来ないという不都合がある。【０００４】  また、スクウィージーのような先端が尖ったヘラ形状の場合、短い転写をするときには押圧する力を保持しながら本体をわずかに動かす微妙な操作が必要とされる。【０００５】  上記の不具合に対して、押圧部を有するヘッドあるいは単独のスライド部材を本体内方向に移動可能に構成して、その移動あるいは復帰に連動して巻き取り部材あるいは供給リールを駆動し、短い転写を容易にすると同時につねに塗膜面が押圧部直下に存在するように構成された従来例がある。【０００６】  特許第３９９８２２１号公報（特許文献１）では、弾性体で形成された矩形状の押圧部を有するヘッドで転写をすると同時に本体内方向に移動させ、その復帰によって使用済みテープ基材を収納する収納手段を連動させる提案がなされている。
実用新案登録第３１３７３００号公報（特許文献２）では、ローラーを覆うようにスライダーを設け、そのスライダーを被転写面に当接させて退避させることによって供給リールを蹴り上げ回転させてテープを送り、ローラーによって転写する提案がなされている。
又、特開２００８−２７９６２２号公報（特許文献３）では、ローラーで構成された第１の転写部と矩形状の押圧面を有する第２の転写部をひとつの転写ヘッドとして構成し、かつその転写ヘッドの一端が揺動可能にケースに枢着され、その揺動の戻り方向の動きによって供給リールを回転させ、使用終了時につねに第１及び第２転写部の直下まで塗膜が繰り出される提案がなされている。
【先行技術文献】
【特許文献】
【０００７】
【特許文献１】特許第３９９８２２１号公報
【特許文献２】実用新案登録第３１３７３００号公報
【特許文献３】特開２００８−２７９６２２号公報
【発明の概要】
【発明が解決しようとする課題】
【０００８】  従来の塗膜転写具の場合、押圧部直下に塗膜先端があるときは押圧部を被転写面に接触させた位置から転写を始めることが可能であるが、前回の終了時に塗膜が粘着性により引っ張られて、いわゆるのり引きして押圧部直下より手前で切れた場合、あたらしく引き始める時、押圧部直下には塗膜が存在せず、塗膜のないテープ基材を被着面に押し付けることになる。【０００９】  そのため、被転写面とテープ基材がスリップしてテープ基材上の塗膜先端を引き出すことが出来ない現象が多々発生する。この場合、押圧部を被転写面により強く押し付けながら引く操作を繰り返してテープ基材上の塗膜先端を引き出さなければならない。【００１０】  このような不具合は、被転写面が長く例えば封筒の耳のような場合は差し支えない場合もあるが、被転写面が例えば切手大のように小さい場合、塗膜が被転写面をはみだす場合も多々あり大きな問題を有する。【００１１】  特に短い転写を繰り返すような場合、塗膜先端位置が一定でないため使用者が腕を動かしてひく操作では転写長さがばらつき、実用にならない大きな問題を有する。【００１２】  またその操作は、一定の力で押圧しながら引く微妙な勘が要求され、使用者にとっては、非常に大きい負担となる。
【課題を解決するための手段】
【００１３】  本発明は、本体にスライド可能に支持されたスライダーの一端でヘッドを回転可能に保持し、さらにそのヘッドの下側の一端を押圧部とし、使用者が軽い力で押圧部を被転写面に押し付けながら本体を傾けて引くと、従来どおりの連続した長い転写ができ、かつ使用者が押圧部を被転写面にまっすぐ当て強く押しこむことで、スライダーとヘッドがベース内に移動すると同時にスライダーに回転可能に軸支されたヘッドが回転して押圧部を短い長さで被転写面に摺動させ、押圧部直下の塗膜を短い長さで転写可能な構成とした。【００１４】  使用者が転写を終了し、本体を被転写面から持ち上げて離すと、スライダーが本体内に引っ込んだ位置から元の位置まで復帰するが、その動きによって、スライダー他端に設けられたラチェット爪が、巻き取りリールと一体に回転するラチェットホイールと係合して巻き取りリールを一定角度回転させ、テープ基材を送って塗膜先端位置を転写ヘッド直下まで前進させる。【００１５】  さらにラチェット爪を常にラチェットホイールに当接させて、使用者が逆方向に動かしてもテープ基材が送られない逆回転防止を同時に実現した。
【発明の効果】
【００１６】  本発明の塗膜転写具によれば、押圧部を被転写面に軽く押し付けながら手前に傾けて引くと従来通りの連続転写が可能であり、また押圧部を被転写面に真上から強く押しこむと押圧部がテープ基材を押し付けながら被転写面にそって回転し、矩形の短いスタンプ転写も可能となる。また上記二つの操作は、それぞれ単独のやり方に限らず、スタンプ転写した後に傾けて手前に引き連続転写を行う、といった組み合わせた使い方も可能である。【００１７】  以上のように、ひとつの押圧部で、連続した長い転写と矩形状の短い転写が可能であり、部品点数の増加と構成の複雑化を避けることが可能である。また、押圧部は、常に被転写面に接触して使用者が押し付ける力が加わっているので、押付力不足等の問題が無く、連続使用、スタンプ使用の別に拘わらず、常に確実な転写が可能となる。【００１８】  さらに、転写を終了し、押圧部を被転写面から離すと、ヘッド及びスライダーの復帰に伴い、供給リールを一定角度回転させて、テープ基材を繰り出し塗膜先端位置を押圧部直下まで進めるので、次回の使用に際して、スリップ等の不具合が無い。【００１９】  スタンプ転写後にテープ基材を繰り出す場合、供給リールを回転駆動してテープ基材をテープロール外周から繰り出しながら、同時に供給リールに同期して回転する巻き取りリールによって巻き取る方法と、巻き取りリールを回転駆動して引っ張り出しながら繰り出す方法の二つのやりかたがあるが、後者の場合、少なくとも繰り出し初めに於いては供給リールの回転部の抵抗に抗しながら引っ張ることになるので、テープロール外周から離れて押圧部を周回し巻き取りリールに至るテープパスには大きなテンションが発生する。このテンションは使用につれて累積され、テープロール終盤の使用に於いては、非常に大きい抵抗となる。【００２０】  さらに、押圧部を被転写面に押し付けながら引く連続転写の場合には、繰り出されるテープ基材によって回される供給リールを駆動側とし供給リールと同期して回転する巻き取りリールを従動側として、駆動側と従動側での巻き径の変化による回転速度差を吸収相殺するスリップ機構を設定することが必要であるが、前記の後者のようにスタンプ転写において巻き取りリールを外部から回転駆動する場合も想定すると、駆動側と従動側が連続転写とスタンプ転写で逆転した関係になり、スリップ機構の主要素である摩擦力の設定が難しくなり、かつ同期した回転をさせるギア噛合や摩擦によるベルト伝動に伴う効率ロスまで含んで、強い摩擦力を設定しなければならない。【００２１】  上記の問題を改善するため、本発明に於いては、スタンプ転写後のテープ基材の繰り出しに於いても、供給リールを回転駆動する方法を採り、上記のテンションの増加と効率ロスを抑え、簡単な設定を可能にした。【００２２】  さらに、本発明に於いては押圧部が使用者によって被転写面に直接押しあてられるので、押圧部をローラーで構成しても、あるいは矩形状やヘラ状の弾性体で構成しても、いずれも可能である。
【図面の簡単な説明】
【００２３】
【図１】本発明の第一実施例における全部品をカバー側から見た分解斜視図である。
【図２】本発明の第一実施例における全部品をベース側から見た分解斜視図である。
【図３】本発明の第一実施例における平面図である。カバーは省略されている。
【図４】本発明の第一実施例におけるもうひとつの状態の平面図である。カバーは省略されている。
【図５】図３の状態をベース側からみた斜視図であり、カバー、ベースともに省略されている。
【図６】図４の状態をベース側からみた斜視図であり、カバー、ベースともに省略されている。
【図７】本発明の第一実施例における使い方を示す平面図である。
【図８】本発明の第一実施例におけるもうひとつの使い方を示す平面図である。
【図９】本発明の第二実施例における全部品をカバー側から見た分解斜視図である。
【図１０】本発明の第二実施例における平面図である。カバーは省略されている。
【図１１】本発明の第二実施例におけるもうひとつの状態の平面図である。カバーは省略されている。
【図１２】図１０の状態をベース側からみた斜視図であり、カバー、ベースともに省略されている。
【図１３】図１１の状態をベース側からみた斜視図であり、カバー、ベースともに省略されている。
【発明を実施するための形態】
【００２４】  以下、本発明の実施の形態を、図を基に説明する。
【００２５】  図１から図６は本発明の第一実施例の構成である。
【００２６】  フリクションホイール６は供給ギア７を介してベース２の供給リール軸部２ａで回転可能に保持される。同様に巻き取りギア９はベース２の巻き取り軸部２ｂで回転可能に保持される。
【００２７】  テープロール４は供給リール４の外周に巻装されて一体となり、カバー３の供給リール保持軸部３ａで回転可能に保持される。同様に巻き取りリール８の外周にはテープパス４ａの先端が留められカバー３の巻き取りリール保持軸部３ｂで回転可能に保持される。
【００２８】  ベース２とカバー３が組み合わされた状態が本体１（図示せず）となるが、この状態に於いては、巻き取りリール５の内面のリブがフリクションホイール６の外周のリブに当接し両者が同軸一体となって回転する。同様に巻き取りリール８の内面のリブが巻き取りギア９の外周のリブに当接し両者が同軸一体となって回転する。また供給ギア７のギア部７ａと巻き取りギアは噛合する。
【００２９】  フリクションホイール６の腕部分６ａは巻き取りギア７の内径部分７ｃに嵌められ、腕先端の接触抵抗によりスリップ可能である。巻き取りリール８に使用済みテープ基材が巻かれて径が大きくなったとき、このスリップで小さくなったテープロール４の外径と巻かれた使用済みテープ基材外径の周速の違いが吸収される。
【００３０】  以上は公知で広く使われている構成である。
【００３１】  スライダー１０は長穴１０ａがベース２のスライダーガイド部２ｃに挿入されスライド可能に保持される。またスライドばねフック１０ｅとスライドばねかけ２ｅの間でスライドばね１２が掛けられており、スライダー１０は常に下方向に付勢されている。
【００３２】  スライダー１０の下側のヘッド軸部１０ｃにはヘッド１１の回転穴１１ａが挿入され、ヘッド１１は回転可能に保持される。またヘッド軸部１０ｃの先端はカバー３のスライダー保持穴３ｃで案内規制され、スライダー１０の振れを排除しスライド移動を確実にしている。またヘッド１１の下端には押圧部１１が設けられている。この例ではローラー形状であるが、先端が尖ったヘラ形状でも問題はない。またローラー形状、ヘラ形状いずれも被転写面１４（図示せず）に接触する部分を弾性体とするのが、転写性から好ましい。
【００３３】  ヘッド１１の他端には従動ボス１１ｂが設けられ、カバー２の規制穴２ｄに勘合して案内される。従動ボス１１ｂと規制穴２ｄはすべり対偶をなす。ベース側に固定ボスを、カバー側に規制穴を設けてもよく、また規制穴は溝形状でもよいのは言うまでも無い。
【００３４】  以上の構成により、スライダー１０とヘッド１１が本体内方向に上に移動すると、同時にヘッド１１は規制穴２ｄに案内されて反時計方向にわずかに回される。
【００３５】  図６はこの状態を反対側のベース側からみているが、スライダー１０のラチェット爪１０ｂは供給ギア７のラチェットホイール７ｂの外周に当接している。スライダー１０がスライドばね１２によって下方向に復帰するとき、ラチェット爪１０ｂがラチェットホイール７ｂを掻き下げるので、テープロール４は時計方向に回転駆動される。なお、この反対方向では弾性腕部１０ｄが弾性変形しながらラチェットホイール７ｂの外周をすべるので、テープロール４は回転駆動されない。公知のワンウェイ構造である。
【００３６】  図５はスライダー１１が下に下げられた状態であるが、この状態でもラチェット爪１０ｂはラチェットホイール７ｂの溝に入っているので、逆転防止が可能である。
【００３７】  図７、図８は、使用者の手１５で本体１が保持されて、この第一実施例が使われる状態を示している。
本体１の片側をなすカバー３の表面には、方向指示矢印３ｅが刻印されている。
【００３８】  図７は本体１をわずかに手前に傾けて水平方向に引く連続した転写を行う状態であるが、このとき、手前に傾いていることで、本体１を被転写面４に押し付ける力の反力はスライダーのスライド方向とは角度を有し、スライド方向の力は減じられるため、容易にスライダーは動かない。
【００３９】  図８は本体１を傾けず真っ直ぐ上から下に強く押しこむスタンプ転写を行う状態である。図７に於けるヘッド１１の位置を二点鎖線で示しているが、本体１を押し始めると、ヘッド１１は、押圧部１１ｄと被転写面１４が接触したまま、この位置から反時計方向にわずかに回転させられ、押し切った実線で示す位置では、約９．６ｍｍ手前に移動し、結果的にこの長さの転写が行われる。
【００４０】  以上二つの状態は、図７から図８に、あるいは図８から図７に途中で状態移動して連続的に転写を行うことも可能である。
【００４１】  この第一実施例の配置に於いては、図３に示す通り、内巻きテープパス４ａは巻き取りリールの右側外周を周回しながら押圧部１１ｄを周回、折り返して巻き取りリール８にその先端を留められる。テープ基材は塗膜面を内側にして供給リール５に巻装されている。
【００４２】  また図４に示すとおり、スタンプ転写時は、押圧部が本体内方向に移動する分、内巻きテープパス４ａが大きく弛むが、テープロール外周から離れて押圧部に至る右側では、同時に押圧部も右側に大きく張り出すので、弛みはほとんど相殺される。
【００４３】  押圧部で折り返され巻き取りリールに至る左側では、図３のように弛んだ分が蛇行するが、この部分は塗膜が転写された後なので基本的にはテープ基材上に塗膜が残っておらず、また、残っていたとしても転写後のごくわずかな量なので蛇行が及ぼす問題は無い。
【００４４】  さらに、スタンプ転写後のスライダー１１の復帰に伴って、緩みも再び元の状態に戻るので、スタンプ転写を繰り返しても、何ら問題は無い。
【００４５】  図９から図１３において、本発明の第二実施例を示す。
【００４６】  基本的な部品構成は第一実施例と同様であるが、スライダー３の配置が右側に変わり、テープロール４は塗膜面を外側にして巻かれた外巻きに変わり、それに伴ってアイドルギア１３とアイドルギア軸部２ｇが追加されている。またベース２には規制穴２ｄに代わって規制ボス２ｅが、ヘッド１１には従動ボス１１ｂに代わって従動穴１１ｃが配設されている。外巻きテープパス４ｂはテープロール４の外周から離れた後、押圧部１１ｄを周回し折り返して巻き取りリール８に留められる。使用時には供給リール５、巻き取りリール８ともに、カバー３側からみて、時計方向に回転する。
【００４７】  第二実施例に示されるように、本発明の実施形態はひとつに限られるものではなく、テープロール４の巻装方法や外形に応じて、様々な展開が考えられる。
【産業上の利用可能性】
【００４８】  本発明は、塗膜転写具の使用者に対し使い勝手を大幅に向上させ、あらゆる分野でひろく利用されるものである。
【符号の説明】
【００４９】１        本体
２        ベース
２ａ      供給リール軸部                    ２ｅ    規制ボス
２ｂ      巻き取りリール軸部                ２ｆ    スライドばねかけ
２ｃ      スライダーガイド部                ２ｇ    アイドルギア軸部
２ｄ      規制穴
３        カバー
３ａ      供給リール保持軸部                ３ｃ    スライダー保持穴
３ｂ      巻き取りリール保持軸部            ３ｅ    方向指示矢印
４        テープロール
４ａ      内巻きテープパス                  ４ｂ    外巻きテープパス
５        供給リール
６        フリクションホイール
６ａ      腕部分
７        供給ギア
７ａ      ギア部                            ７ｂ    ラチェットホイール
７ｃ      内径部分
８        巻き取りリール
９        巻き取りギア
１０      スライダー
１０ａ    長穴                              １０ｄ    弾性腕部
１０ｂ    ラチェット爪                      １０ｅ    スライドばねフック
１０ｃ    ヘッド軸部
１１      ヘッド
１１ａ    回転穴                            １１ｃ    従動穴
１１ｂ    従動ボス                          １１ｄ    押圧部
１２      スライドばね
１３      アイドルギア
１４      被転写面
１５      使用者の手
【図１】
2012139988.tif 000003
【図２】
2012139988.tif 000004
【図３】
2012139988.tif 000005
【図４】
2012139988.tif 000006
【図５】
2012139988.tif 000007
【図６】
2012139988.tif 000008
【図７】
2012139988.tif 000009
【図８】
2012139988.tif 000010
【図９】
2012139988.tif 000011
【図１０】
2012139988.tif 000012
【図１１】
2012139988.tif 000013
【図１２】
2012139988.tif 000014
【図１３】
2012139988.tif 000015